(57)【特許請求の範囲】
【請求項１】
複数の面状光源と、前記面状光源ごとに設けられたフレネルレンズと、を備えたスポーツ照明器具において、
前記面状光源、及び前記フレネルレンズの対ごとに、前記面状光源の光を当該面状光源と対を成すフレネルレンズに反射する反射鏡を備え、
前記フレネルレンズと前記反射鏡の間の隙間を、前記面状光源に対応するフレネルレンズと隣接したフレネルレンズの中心部に当該面状光源の直射光が入射しない程度の長さに前記反射鏡の長さを抑えることによって形成した隙間とし、
前記面状光源からの、当該面状光源の光軸を中心とする所定範囲の直接光と、前記面状光源から出射して前記反射鏡で反射された間接光とが、前記フレネルレンズの前方に向けて出射される主光束を含む出射光となるように、前記フレネルレンズの中心部を含む領域が屈折型レンズ部に形成され、
前記面状光源からの前記所定範囲の外の直接光と、前記面状光源と隣接する他の前記面状光源から入射する直接光とが、一回又は複数回の反射、及び又は屈折を経て前記出射光の主光束の周辺に拡がりを持つ光成分となるように、前記フレネルレンズの中心部から離れた領域が反射型レンズ部に形成されている
ことを特徴とするスポーツ照明器具。
【請求項２】
前記面状光源と、前記フレネルレンズの中心とは、前記反射鏡の光軸上に配置され、
前記面状光源は、前記光軸に対応する位置に配置された発光素子を備える
ことを特徴とする請求項１に記載のスポーツ照明器具。
【請求項３】
前記面状光源のそれぞれを、対応する前記フレネルレンズの焦点から光軸方向にずれた位置に配置したことを特徴とする請求項１又は２に記載のスポーツ照明器具。
【請求項４】
複数の前記フレネルレンズを１枚のレンズ板に形成したことを特徴とする請求項１〜３のいずれかに記載のスポーツ照明器具。
【請求項５】
前記複数の面状光源は、中央に配置した面状光源と、この面状光源の周囲に配置されたｎ個の面状光源であり、
前記中央に配置した面状光源に対応する前記フレネルレンズは、ｎ角形状に形成されていることを特徴とする請求項４に記載のスポーツ照明器具。
【請求項６】
前記面状光源と前記反射鏡を内部に備える筐体と、前記面状光源毎に前記筐体の外側に露出する放熱部と、前記放熱部を保護する背面ガード部材とを備え、
前記背面ガード部材は、上側の開口面積を下側の開口面積よりも広く確保していることを特徴とする請求項１〜５のいずれかに記載のスポーツ照明器具。
【請求項７】
前記面状光源は、ＣＯＢ型ＬＥＤであり、
前記照明器具の出力は、器具受圧面積に対して、０．７〜１．０Ｗ／ｃｍ２であることを特徴とする請求項１〜６のいずれかに記載のスポーツ照明器具。
【発明の詳細な説明】
【技術分野】
【０００１】
本発明は、複数の面状光源を備えたスポーツ照明器具に関する。
【背景技術】
【０００２】  ＬＥＤ等の発光素子の高効率化や高出力化を背景として、高出力型の光源を複数備える照明器具が知られている。この種の照明器具には、光源として複数のＬＥＤ（発光ダイオード）を備え、各ＬＥＤのそれぞれに対応してフレネルレンズの領域を形成した光学部材を備える構造が提案されている（例えば、特許文献１参照）。  この特許文献１では、各ＬＥＤの中心に対して同心円状に屈折型のフレネルレンズをそれぞれ形成することで、各ＬＥＤからフレネルレンズに向けて出射される光を各フレネルレンズで制御している。
【先行技術文献】
【特許文献】
【０００３】
【特許文献１】特開２０１２−９４４９４号公報
【発明の概要】
【発明が解決しようとする課題】
【０００４】
しかしながら、ＬＥＤの配光は、ランベルト配光（コサイン配光）が一般的であり、光軸の周囲に大きく拡散する。したがって、特許文献１の構成においては、ＬＥＤの光は、対面するフレネルレンズのみならず、他のフレネルレンズにも入射することから配光特性が悪くなる、という問題がある。
この問題に対し、フレネルレンズをＬＥＤに近接させて配置することで、当該ＬＥＤの大部分の光を、対面配置されたフレネルレンズに入射させることが可能であるものの、そうすると、ＬＥＤの発熱の影響をフレネルレンズが受け易くなり、照明器具の高出力化の妨げにもなる。
本発明は、上述した事情に鑑みてなされたものであり、高出力化を容易にしつつ、所望の配光特性を維持できるスポーツ照明器具を提供することを目的とする。
【課題を解決するための手段】
【０００５】
この明細書には、２０１４年９月１０日に出願された日本国特許出願の特願２０１４−１８３９７１号の全ての内容が含まれる。
上記目的を達成するために、本発明は、複数の面状光源と、前記面状光源ごとに設けられたフレネルレンズと、を備えたスポーツ照明器具において、前記面状光源、及び前記フレネルレンズの対ごとに、前記面状光源の光を当該面状光源と対を成すフレネルレンズに反射する反射鏡を備え、前記フレネルレンズと前記反射鏡の間の隙間を、前記面状光源に対応するフレネルレンズと隣接したフレネルレンズの中心部に当該面状光源の直射光が入射しない程度の長さに前記反射鏡の長さを抑えることによって形成した隙間とし、前記面状光源からの、当該面状光源の光軸を中心とする所定範囲の直接光と、前記面状光源から出射して前記反射鏡で反射された間接光とが、前記フレネルレンズの前方に向けて出射される主光束を含む出射光となるように、前記フレネルレンズの中心部を含む領域が屈折型レンズ部に形成され、前記面状光源からの前記所定範囲の外の直接光と、前記面状光源と隣接する他の前記面状光源から入射する直接光とが、一回又は複数回の反射、及び又は屈折を経て前記出射光の主光束の周辺に拡がりを持つ光成分となるように、前記フレネルレンズの中心部から離れた領域が反射型レンズ部に形成されていることを特徴とする。、
【０００６】  また本発明は、上記照明器具において、前記面状光源と、前記フレネルレンズの中心とは、前記反射鏡の光軸上に配置され、前記面状光源は、前記光軸に対応する位置に配置された発光素子を備えることを特徴とする。【０００９】
また本発明は、上記スポーツ照明器具において、前記面状光源のそれぞれを、対応する前記フレネルレンズの焦点から光軸方向にずれた位置に配置したことを特徴とする。
【００１０】
また本発明は、上記スポーツ照明器具において、複数の前記フレネルレンズを１枚のレンズ板に形成したことを特徴とする。
【００１１】
また本発明は、上記スポーツ照明器具において、前記複数の面状光源は、中央に配置した面状光源と、この面状光源の周囲に配置されたｎ個の面状光源であり、前記中央に配置した面状光源に対応する前記フレネルレンズは、ｎ角形状に形成されていることを特徴とする。
【００１２】
また本発明は、上記スポーツ照明器具において、前記面状光源と前記反射鏡を内部に備える筐体と、前記面状光源毎に前記筐体の外側に露出する放熱部と、前記放熱部を保護する背面ガード部材とを備え、前記背面ガード部材は、上側の開口面積を下側の開口面積よりも広く確保していることを特徴とする。
【００１３】
また本発明は、上記スポーツ照明器具において、前記面状光源は、ＣＯＢ型ＬＥＤであり、前記照明器具の出力は、当該照明器具の受圧面積に対して、０．７〜１．０Ｗ／ｃｍ２であることを特徴とする。
【発明の効果】
【００１４】  本発明によれば、光源として面状光源を備えることから、通常の点光源に比べて照明器具の高出力化が図られる。  これに加え、面状光源の光は、フレネルレンズとの間の距離にかかわらず、反射鏡により、当該面状光源と対を成すフレネルレンズに反射されることから、他のフレネルレンズへ入射する光が抑えられることとなり、照明器具の配光特性は、フレネルレンズの光学設計に基づく所望の特性に維持される。  また、フレネルレンズを面状光源から離して配置できるため、フレネルレンズが面状光源の発熱の影響を受け難くできる。
【図面の簡単な説明】
【００１５】
【図１】図１は、本実施形態に係るスポーツ照明器具の正面図である。
【図２】図２は、スポーツ照明器具の側面図である。
【図３】図３は、スポーツ照明器具を斜め上方から示した斜視図である。
【図４】図４は、前面カバーの光学部材を前方にずらしてスポーツ照明器具を斜め上方から示した斜視図である。
【図５】図５は、器具本体の内部構造（図１のＶ−Ｖ断面）を示す図である。
【図６】図６は、光学部材を反射鏡及びＣＯＢ型ＬＥＤと共に前面から模式的に示した図である。
【図７】図７は、スポーツ照明器具の配光制御を説明する図であり、図７（Ａ）は図５のＣＯＢ型ＬＥＤ、反射鏡及びフレネルレンズによる配光を示した図、図７（Ｂ）は中央のフレネルレンズからの光度分布を示した図である。
【図８】図８は、フレネルレンズとＣＯＢ型ＬＥＤとの位置関係を説明する図であり、図８（Ａ）及び図８（Ｂ）は参考例、図８（Ｃ）は本構成を示す。
【図９】図９は、背面ガード部材を示す図であり、図９（Ａ）は上方から見た図、図９（Ｂ）は下方から見た図である。
【図１０】図１０は、各光源モジュールの排熱部を周辺構成と共に背面側から見た図である。
【図１１】図１１は、変形例に係るＣＯＢ型ＬＥＤ、反射鏡及びフレネルレンズによる配光を示した図である。
【図１２】図１２は、フレネルレンズの変形例を示した図であり、図１２（Ａ）はフレネルレンズの基本サイズ、図１２（Ｂ）は図１２（Ａ）のフレネルレンズを上下左右に３列並べた光学部材、図１２（Ｃ）は図１２（Ａ）のフレネルレンズを左右に３個並べた光学部材を示した図である。
【発明を実施するための形態】
【００１６】  以下、図面を参照して本発明の実施形態について説明する。  図１は本実施形態に係るスポーツ照明器具１の正面図、図２はスポーツ照明器具１の側面図、図３はスポーツ照明器具１を斜め上方から見た斜視図である。  このスポーツ照明器具１は、屋外球技場や屋外競技場を観客席側から照明する照明器具であり、投光器とも称する。図１乃至図３に示すように、このスポーツ照明器具１は、大別して、器具本体２と、取付アーム部３と、背面ガード部材４とを備えている。
【００１７】  器具本体２は、前面が開放する有底筒状の筐体１０と、この筐体１０に設けられる複数（本構成では６個）の光源モジュール１２（後述する図５）と、筐体１０の前面を覆う前面カバー１４とを備えている。光源モジュール１２は、それぞれ面状光源の一例たるＣＯＢ型ＬＥＤ５１を備え、各ＣＯＢ型ＬＥＤ５１の光が前面カバー１４を介して前方に照射される。  これら複数の光源モジュール１２の光出力は、それらの合計の明るさが照明対象の球技場や競技場で行われるスポーツによって求められる明るさ以上となるように設計されている。なお、このスポーツ照明器具１は、球技場や競技場に限らず、その他の屋外スポーツ施設等の照明に用いられ得ることは勿論である。
【００１８】  取付アーム部３は、スポーツ照明器具１を設置面に固定するための取付部材であり、当該器具本体２を回動自在に支持する機能を備える。具体的には、取付アーム部３は、筐体１０を挟むように取り付けられるコ字状の支持フレーム１６を備え、この支持フレーム１６には固定プレート１７が設けられている。この固定プレート１７が設置面にボルト固定されることによって、スポーツ照明器具１が設置面に固定される。
【００１９】  背面ガード部材４は、筐体１０に取り付けられて当該筐体１０の後方に露出する光源モジュール１２の後部（後述する放熱部５５）等を覆って保護する部材である。この背面ガード部材４は、多数の貫通孔を形成した金属板４Ａを多角形状に折り曲げて籠状に形成され、ボール等の衝突に耐え得る剛性と併せて、十分な通気性を確保している。背面ガード部材４を外気が流通することで、内部の光源モジュール１２等を空冷することができる。
【００２０】  図３に示すように、この背面ガード部材４の最上部を構成する最上パネル部４Ｂには、多列（２列）、且つ、短いピッチで多数の貫通孔が形成され、開口面積を他の部分よりも広く確保している。このため、光源モジュール１２の発熱により生じる上昇気流の流れを背面ガード部材４が妨げず、効率良く放熱させることができる。なお、金属板４Ａに代えて、細長い多数のガイド棒を格子状や放射線状等に組んで背面ガード部材４を構成してもよい。また、器具本体２の上部には、器具本体２の照射方向を調整する等の際に把持する把持部５が設けられている。
【００２１】  前面カバー１４は、筐体１０の出射口を構成する前面開口１０Ａ（図４）を覆う円板状の光学部材２１（レンズ板）と、光学部材２１の外周縁を支持する前面枠２２とを備えている。この前面枠２２が筐体１０にボルト固定されることによって前面カバー１４が筐体１０に固定される。  図４は光学部材２１を前方にずらしてスポーツ照明器具１を斜め上方から示した斜視図である。筐体１０は、径に対して深さが浅い有底円筒状のアルミダイカスト部品で形成される。この筐体１０の左右両側には、左右に張り出す結合片３０が設けられ、これら結合片３０に支持フレーム１６の端部１６Ａが回転自在に結合され、筐体１０が上下に回動自在に支持フレーム１６に支持される。
【００２２】  また支持フレーム１６には、結合片３０を回動不能にするストッパ機構３２が設けられ、このストッパ機構３２により支持フレーム１６に対して筐体１０が所定角度に保持される。この結合片３０には、支持フレーム１６の回動軸の周囲に回動角度を示す目盛り３４が付され、作業者は、設置時に支持フレーム１６と筐体１０の角度を目盛り３４により正確に合わせることができる。  筐体１０の下部には結線ボックス３６（図２参照）が設けられる。この結線ボックス３６には、各光源モジュール１２に点灯電力を供給する電力供給線（図示せず）が接続され、この結線ボックス３６を介して各光源モジュール１２に点灯電力が供給される。
【００２３】  図４に示すように、筐体１０内の中心には、一つの反射鏡４０Ａが配置され、この反射鏡４０Ａの周りに等角度間隔で複数（５個）の反射鏡４０Ｂ、４０Ｃ、４０Ｄ、４０Ｅ、４０Ｆが配置される。以下の説明において、反射鏡４０Ａ〜４０Ｆを特に区別する必要がない場合は反射鏡４０と表記する。  これら反射鏡４０は、後段に詳述するが、光源モジュール１２毎に一個ずつ設けられており、各光源モジュール１２からの光を後述するフレネルレンズ６１に向けて反射する光反射部材として機能する。  筐体１０の前面から見た場合に、反射鏡４０の位置は各光源モジュール１２の光源位置と一致している。つまり、このスポーツ照明器具１では、筒状の筐体１０の中心に一つの光源モジュール１２が配置され、この光源モジュール１２の周りに筐体１０の中心を基準とした等角度間隔で複数（５個）の光源モジュール１２が配置されている。
【００２４】  図５は器具本体２の内部構造を示す図であり、図１のＶ−Ｖ断面図に相当している。  光源モジュール１２は、上述のとおり、ＣＯＢ型ＬＥＤ５１を光源に備えたモジュールであり、ＣＯＢ型ＬＥＤ５１と、このＣＯＢ型ＬＥＤ５１が取り付けられるベースプレート５３と、放熱部５５とを備えている。  ＣＯＢ型ＬＥＤ５１は、多数のＬＥＤをＬＥＤ基板５１Ａの上に密集配置して平面視略円形（四角形も有り得る）の面状光を放射する面状の発光面５１Ｂを形成したチップオンボード（Ｃｈｉｐ  Ｏｎ  Ｂｏａｒｄ：ＣＯＢ）構造の発光デバイスであり、その配光はランベルト配光（コサイン配光）である。  ＣＯＢ型ＬＥＤ５１は、多数の発光素子たるＬＥＤ（Ｌｉｇｈｔ  Ｅｍｉｔｔｉｎｇ  Ｄｉｏｄｅ）素子が密集配置されていることから大光量化、及び高輝度化なＬＥＤ光源となる。
【００２５】  このＣＯＢ型ＬＥＤ５１は白色ＬＥＤである。具体的には、このＣＯＢ型ＬＥＤ５１は、多数のＬＥＤ素子と、これらＬＥＤ素子を覆って封止する蛍光体樹脂とを備え、蛍光体樹脂がＬＥＤ素子の光により蛍光し、この蛍光とＬＥＤ素子の光を混合して白色光を放射している。このＣＯＢ型ＬＥＤ５１は、ＬＥＤ素子が青色光を放射する青色ＬＥＤであり、蛍光体樹脂は、青色光を受けて黄色の蛍光を放射する黄色蛍光体を含有したものである。
【００２６】  ベースプレート５３は、ＣＯＢ型ＬＥＤ５１が直接的に取り付けられる基板取付部材であり、高熱電導材である。このベースプレート５３の前面にＣＯＢ型ＬＥＤ５１が取り付けられる。ＣＯＢ型ＬＥＤ５１は、面状の発光部に垂直な方向に光軸Ｌを有しており、この光軸Ｌが器具本体２の前面を指向する姿勢でベースプレート５３に取り付けられている。  各光源モジュール１２のＣＯＢ型ＬＥＤ５１は、反射鏡４０の光軸Ｌと垂直な同一平面上に並べて配置されており、中央に配置されるＣＯＢ型ＬＥＤ５１と周囲に配置される各ＣＯＢ型ＬＥＤ５１との距離は同一距離に保たれている。また、周囲に配置される各ＣＯＢ型ＬＥＤ５１は等角度間隔に配置されるため、これらＣＯＢ型ＬＥＤ５１間の距離も同一距離に保たれる。このため、複数のＣＯＢ型ＬＥＤ５１が器具本体２の筐体１０内に略均等間隔で配置され、配置のばらつきに起因する光量の偏りを抑えることができる。
【００２７】  放熱部５５は、筐体１０の外側に配置される放熱フィン５６と、ベースプレート５３の熱を放熱フィン５６に伝えるヒートパイプ５７とを備えている。この構成により、必要な放熱性能に応じた長さだけ放熱フィン５６を筐体１０から外側に延在させつつ、放熱フィン５６には、ベースプレート５３に伝えられたＣＯＢ型ＬＥＤ５１の熱をヒートパイプ５７によって効率良く伝えることができる。
【００２８】  次に光学部材２１及び反射鏡４０について詳述する。  図６は光学部材２１を反射鏡４０及びＣＯＢ型ＬＥＤ５１と共に前面から模式的に示した図である。  光学部材２１は、光源モジュール１２毎にフレネルレンズ６１Ａ、６１Ｂ、６１Ｃ、６１Ｄ、６１Ｅ、６１Ｆが形成された１枚のレンズ板であり、中央のフレネルレンズ６１Ａと、中央のフレネルレンズ６１Ａの周囲に等角度間隔で設けられた複数（５個）のフレネルレンズ６１Ｂ〜６１Ｆとを備えている。なお、フレネルレンズ６１Ａ〜６１Ｆを特に区別する必要がない場合はフレネルレンズ６１と表記する。
【００２９】  各光源モジュール１２のＣＯＢ型ＬＥＤ５１と各フレネルレンズ６１とは、一対一で対応しており、各フレネルレンズ６１は、このフレネルレンズ６１に対応するＣＯＢ型ＬＥＤ５１との間に設けられた反射鏡４０の光軸Ｌ（図５）を中心にして同心円状に分割されて厚みを減らしたレンズ（図１参照）に形成され、また、各フレネルレンズ６１と各ＣＯＢ型ＬＥＤ５１との距離も、少なくともＣＯＢ型ＬＥＤ５１の発熱の影響をフレネルレンズ６１が受けない程度の一定の距離に設定されている。  フレネルレンズ６１の配光特性は、光軸Ｌに対して例えば挟角、中角、広角等の所定の拡がり角を有した特性に設定されており、係る配光特性を得るレンズをフレネルレンズ６１とすることで、光学部材２１の薄型化、及び軽量化が図られる。
【００３０】  図５及び図６に示すように、各反射鏡４０は、一対一で対応するＣＯＢ型ＬＥＤ５１とフレネルレンズ６１との間にそれぞれ設けられており、各ＣＯＢ型ＬＥＤ５１の光を、対応するフレネルレンズ６１に入射する光反射部材として機能する。  各反射鏡４０は、回転放物体や回転楕円体などの回転体形状であり、その内面に回転放物面形状の反射面４１が形成されている。  各反射鏡４０は、樹脂材を母材とし、その表面に反射材をコーティングすることで構成されており、金属材から形成する場合に比べて軽量化が図られている。  各反射鏡４０の反射面４１は、鏡面処理が施され、反射鏡４０の奥側に配置されたＣＯＢ型ＬＥＤ５１から入射する光を前方（光学部材側）に向けて効率良く反射することができる。  各反射鏡４０の反射面４１は、回転放物面の中心軸が光軸Ｌに設定され、ＣＯＢ型ＬＥＤ５１から入射した光をフレネルレンズ６１に向けて光軸Ｌと略平行方向に反射する。
【００３１】  このスポーツ照明器具１では、反射鏡４０の光軸Ｌ上に、ＣＯＢ型ＬＥＤ５１の平面視円形の発光面５１の中心と、フレネルレンズ６１の中心とが配置されている。また、ＣＯＢ型ＬＥＤ５１の発光面５１では、光軸Ｌに対応する位置に発光素子が配置され、また当該光軸Ｌの周囲にも多数の発光素子が配置されている。この発光面５１は、反射鏡４０、及びフレネルレンズ６１の光学設計において、中心を発光点と見做して設計した場合でも、配光特性のズレが許容できる範囲の大きさに成されている。  これにより、光源が面状光源であっても、反射鏡４０，及びフレネルレンズ６１の光学設計においては、ＣＯＢ型ＬＥＤ５１の発光面５１の中心を発光点として見做して設計することができ、所望の配光特性の光学設計が容易となる。  また発光面５１にあっては、光軸Ｌの周りにも発光素子が存在することから、照射野にボケを生じさせる作用が得られ、これによっても、後に詳述するグレアや色むらの低減が図られる。
【００３２】  これら反射鏡４０は、対応するＣＯＢ型ＬＥＤ５１が取り付けられるベースプレート５３（図５）に不図示の反射鏡固定具を介して固定され、そのＣＯＢ型ＬＥＤ５１の前方を除く周囲を囲うとともにＣＯＢ型ＬＥＤ５１よりも前方に延出する。  また各反射鏡４０は同一形状であり、図６に示すように、中央のフレネルレンズ６１Ａは中央の反射鏡４０Ａの外周縁が略内接する多角形（五角形）のレンズ形状に形成される。また周囲のフレネルレンズ６１Ｂ〜６１Ｆは、周囲の反射鏡４０Ｂ〜４０Ｆの外周縁が略内接する略扇形のレンズ形状に形成される。
【００３３】  つまり、各フレネルレンズ６１Ａ〜６１Ｆが対応するＣＯＢ型ＬＥＤ５１の光を反射する反射鏡４０Ａ〜４０Ｆの外周縁が略内接する形状に形成され、言い換えると、各反射鏡４０Ａ〜４０Ｆが各フレネルレンズ６１Ａ〜６１Ｆに略内接する外形状に形成される。このため、各反射鏡４０Ａ〜４０Ｆで反射された光を、各反射鏡４０Ａ〜４０Ｆの前面に位置する各フレネルレンズ６１Ａ〜６１Ｆに効率よく入射させることができる。
【００３４】  また各フレネルレンズ６１は、前掲図５に示すように、対応するＣＯＢ型ＬＥＤ５１の光軸Ｌが通る中心付近が屈折型レンズ部６１Ｋ（以下、屈折部）に形成され、中心から離れた外側領域がリング状のプリズムを施した反射型レンズ部６１Ｈ（以下、反射部）に形成されている。このため、屈折部６１Ｋだけでは屈折角が大きすぎ水平方向に向けられない外周部の光については反射部６１Ｈに入射し、プリズムによる全反射も利用して曲げて水平方向に向けることができ、配光角を適切に設定し易くなる。
【００３５】  図７はスポーツ照明器具１の配光制御を説明する図であり、図７（Ａ）は図５のＣＯＢ型ＬＥＤ５１、反射鏡４０及びフレネルレンズ６１による配光を示した図であり、図７（Ｂ）は中央のフレネルレンズ６１Ａからの光度分布を示した図である。  図７（Ａ）に示すように、ＣＯＢ型ＬＥＤ５１からの光軸Ｌを中心とする見込み角θＡ（本構成では６０度）の範囲の直接光Ｌ１が、このＣＯＢ型ＬＥＤ５１に対応するフレネルレンズ６１Ａに入射し、フレネルレンズ６１Ａによって光軸Ｌに略平行に進む。さらに、ＣＯＢ型ＬＥＤ５１から出射して反射鏡４０Ａで反射された間接光Ｌ２はフレネルレンズ６１Ａに入射し、フレネルレンズ６１Ａの前方に向けて出射される。  なお、図示は省略しているが、他のフレネルレンズ６１Ｂ〜６１Ｆについても、上記フレネルレンズ６１Ａと同様に、各フレネルレンズ６１Ｂ〜６１Ｆに対応するＣＯＢ型ＬＥＤ５１の直接光Ｌ１が入射し、各フレネルレンズ６１Ｂ〜６１Ｆによって光軸Ｌに対し略平行に進むとともに、反射鏡４０Ｂ〜４０Ｆで反射された間接光Ｌ２が入射し、各フレネルレンズ６１Ｂ〜６１Ｆから前方に向けて出射される。
【００３６】  このように各フレネルレンズ６１には、各フレネルレンズ６１に対応するＣＯＢ型ＬＥＤ５１の直接光Ｌ１に加えて、反射鏡４０で反射された間接光Ｌ２も入射するので、反射鏡４０を設けない場合と比べて、対応するＣＯＢ型ＬＥＤ５１から各フレネルレンズ６１に入射する光を増やすことができる。換言すれば、それぞれＣＯＢ型ＬＥＤ５１から、当該ＣＯＢ型ＬＥＤ５１と対を成していないフレネルレンズ６１へ入射する光が抑えられるから、フレネルレンズ６１の光学設計による配光特性とスポーツ照明器具１の配光特性とのズレが抑えられる。  また各反射鏡４０で反射された間接光Ｌ２は、図７（Ａ）に示すように、各フレネルレンズ６１の外周部に形成された反射部６１Ｈに入射する。このため、各反射部６１Ｈで一回又は複数回の反射、及び又は屈折を経て、光軸Ｌ方向に対して拡がりを持つ光成分として出射される。これにより、各反射鏡４０の照射光が照射野において分離し、各反射鏡４０の照射箇所の間に暗部（低照度部分）が生じるのが防止され、照射野におけるグレアが低減される。
【００３７】  また、このスポーツ照明器具１では、グレアの低減効果を更に高めるために、光源モジュール１２が次のように構成されている。  すなわち、図７（Ａ）に示すように、各フレネルレンズ６１と各反射鏡４０との間には、ＣＯＢ型ＬＥＤ５１からの直接光の一部、すなわち図７（Ａ）中、ハッチングで示す領域の見込み角θＡを超える直接光Ｌ３を漏らす隙間ＳＡが設けられる。この隙間ＳＡから漏れた直接光Ｌ３は、隣接するフレネルレンズ６１に入射する。この直接光Ｌ３が、隣接するフレネルレンズ６１によって屈折され、出射光の光軸Ｌに対して角度を持って出射される。  中央のフレネルレンズ６１Ａを例に説明すると、隣接するフレネルレンズ６１Ｂ〜６１Ｆ（図６参照）に対応するＣＯＢ型ＬＥＤ５１からの直接光Ｌ３（図７（Ａ）中、破線で示す）が中央のフレネルレンズ６１Ａに入射する。なお、図７では、フレネルレンズ６１Ｂ、６１Ｅに対応する２つのＣＯＢ型ＬＥＤ５１からの直接光Ｌ３が中央のフレネルレンズ６１Ａに入射することを示している。
【００３８】  このようにして、図７（Ｂ）に例示するように、出射光の主光束の周辺に拡がりを持つ光（図７（Ｂ）中の拡散成分に相当）を出射できる。なお、図７（Ｂ）中の破線は、上記隙間ＳＡを形成しない場合の光度分布を示している。  また上記隙間ＳＡ（図７（Ａ）参照）は、隣接するＣＯＢ型ＬＥＤ５１の直接光（図７（Ａ）中、Ｌ４）が、フレネルレンズ６１の中心部（屈折部６１Ｋ）に入射しない隙間に形成されている。
【００３９】  つまり、上記隙間ＳＡは、ＣＯＢ型ＬＥＤ５１に対応するフレネルレンズ６１と隣接したフレネルレンズ６１の中心部（屈折部６１Ｋ）に当該ＣＯＢ型ＬＥＤ５１の直射光Ｌ３が入射しない程度の長さに反射鏡４０の長さを抑えることによって形成されている。  このため、隣接するＣＯＢ型ＬＥＤ５１からの漏れた直接光Ｌ３がフレネルレンズ６１の中心部を外れた箇所（反射部６１Ｈ）に入射し、反射部６１Ｈで一回又は複数回の反射、及び又は屈折を経て、出射光の主光束の周辺に拡がりを持つ光成分を効率良く出射でき、図７（Ｂ）中の拡散成分を効率的に高めることができる。  なお、周囲のフレネルレンズ６１の一例として、フレネルレンズ６１Ｂを例に説明すると、このフレネルレンズ６１Ｂに隣接するフレネルレンズ６１Ａ、６１Ｃ、６１Ｆ（図６参照）に対応する３つのＣＯＢ型ＬＥＤ５１からの直接光Ｌ３がフレネルレンズ６１Ｂの反射部６１Ｈに入射する。
【００４０】  これによって、フレネルレンズ６１Ｂからも出射光の主光束の周辺に拡がりを持つ光が出射され、前面カバー１４全体の出射面輝度の差が軽減されるため、照射野における上述したグレアを低減させた照明器具とすることが可能となる。また、この各反射鏡４０の照射光が照射野において重なるように、これら反射鏡４０同士の間隔を詰める等の設計をせずともグレアが効果的に抑制される。  さらに、フレネルレンズ６１の中心部には、隣のＣＯＢ型ＬＥＤ５１の直射光Ｌ３が入射しないように隙間ＳＡが設けられているため、当該直射光Ｌ３によって各フレネルレンズ６１による配光特性が悪くなることもない。
【００４１】  ところで、本構成のフレネルレンズ６１は、平凸レンズを同心円状に分割したレンズであるため、一方の面がのこぎり状の凹凸面６１Ｘに形成され、この凹凸面６１Ｘと反対側の面が平面６１Ｙに形成されている。  一般に、この種の平凸型のフレネルレンズを用いて光源からの光を平行光にする場合、凹凸面を光源の反対側に向けてフレネルレンズを配置する。これに対し、本構成では、前掲図７等に示すように、フレネルレンズ６１の凹凸面６１Ｘを、光源を構成するＣＯＢ型ＬＥＤ５１側に向けて配置している。さらに、本構成では、ＣＯＢ型ＬＥＤ５１のそれぞれを、対応するフレネルレンズ６１の焦点Ｆ’（後述する図８（Ｃ））から光軸Ｌ方向にずれた位置に配置するようにしている。以下、その理由を説明する。
【００４２】  図８はフレネルレンズ６１とＣＯＢ型ＬＥＤ５１との位置関係を説明する図であり、図８（Ａ）及び図８（Ｂ）は参考例を示し、図８（Ｃ）は本構成を示す。  図８（Ａ）はフレネルレンズ６１の凹凸面６１Ｘを、光源を構成するＣＯＢ型ＬＥＤ５１の反対側に向けて配置し、且つ、ＣＯＢ型ＬＥＤ５１をフレネルレンズの焦点Ｆに配置した場合を示している。なお、この焦点Ｆは、フレネルレンズ６１の平面６１Ｙ側に存在する焦点であり、フレネルレンズ６１の凹凸面６１Ｘに光軸Ｌに平行な光が入射したときに光軸Ｌと交わる点に相当している。また、図中、符号ＬＦはフレネルレンズ６１の焦点Ｆまでの焦点距離を示している。  この配置によれば、ＣＯＢ型ＬＥＤ５１の出射光をフレネルレンズ６１で光軸Ｌに平行な光に精度良く屈折させることができる。しかしながら、この配置では、ＣＯＢ型ＬＥＤ５１がイエローリング等の色むらを有する場合に、その影響が強く出てしまう。
【００４３】  更に詳述すると、このＣＯＢ型ＬＥＤ５１は、上述のとおり、青色ＬＥＤを黄色蛍光体樹脂で封止して構成されている。この構成においては、青色ＬＥＤの発光面から出た光が黄色蛍光体を通過したときの経路の違いに応じて、黄色の蛍光色が強くなりすぎて青色との混合でも白色光が得られずに黄色光となる。このため、照射光には白色光の他に黄色光が含まれることとなり、係る照射光が照射された照射面では黄色味を帯びた箇所（いわゆる、イエローリング）が生じることで色むらの発生や、被照射体の発色不良を招くおそれがあることがある。
【００４４】  図８（Ｂ）は、図８（Ａ）に対しＣＯＢ型ＬＥＤ５１を焦点Ｆから光軸Ｌ方向にずらした場合を示している。この配置によれば、ＣＯＢ型ＬＥＤ５１が焦点Ｆからずれた位置に配置されるため、フレネルレンズ６１の出射光の光束断面のエッジをぼかすことができる。このため、ＣＯＢ型ＬＥＤ５１がイエローリング等の色むらを有する場合に、その影響を効果的に抑えることができる。  また、上述のとおり、フレネルレンズ６１による直射光Ｌ３の拡散によっても、エッジがぼけることから、より確実に色むらが抑えられる。  しかしながら、光軸Ｌに平行な光をある程度出射させるにはＣＯＢ型ＬＥＤ５１を焦点Ｆから大きく離すことができないため、フレネルレンズ６１の焦点距離ＬＦが長い場合には、ＣＯＢ型ＬＥＤ５１とフレネルレンズ６１との離間距離ＬＸが長くなってしまい、スポーツ照明器具１の大型化を招いてしまう。
【００４５】  一方、図８（Ｃ）に示すように、フレネルレンズ６１の凹凸面６１Ｘ側に存在する焦点Ｆ’、つまり、フレネルレンズ６１の平面６１Ｙに光軸Ｌに平行な光が入射したときに光軸Ｌと交わる点は、上記焦点Ｆと比べて、フレネルレンズ６１側に近づく。図中、符号ＬＦ’はフレネルレンズ６１の焦点Ｆ’までの焦点距離を示しており、本構成のフレネルレンズ６１では、焦点距離ＬＦ’は上記焦点距離ＬＦの略半分となっている。  このため、発明者等は、図８（Ｃ）に示すように、フレネルレンズ６１の凹凸面６１ＸをＣＯＢ型ＬＥＤ５１側に向け、且つ、ＣＯＢ型ＬＥＤ５１を焦点Ｆ’から光軸Ｌ方向にずれた位置に配置することにより、イエローリング等の色むらの影響を抑えるとともに、ＣＯＢ型ＬＥＤ５１とフレネルレンズ６１との離間距離ＬＸを短くし、スポーツ照明器具１の小型化を図っている。
【００４６】  以上説明したように、本実施形態によれば、次のような効果を奏する。  本実施形態のスポーツ照明器具１は、複数のＣＯＢ型ＬＥＤ５１を光源に備えることから、通常のＬＥＤを光源とした場合に比べ、高出力な器具が得られる。  例えば、表面実装型（ＳＭＤ：Ｓｕｒｆａｃｅ  Ｍｏｕｎｔ  Ｄｅｖｉｃｅ）のＬＥＤパッケージを採用すると、１パッケージ当たりの光量が少なく、多量のパッケージを必要とし、更にＬＥＤ素子ごとの密度が物理的に広くなるため、器具の大型化につながる。本実施形態では、ＣＯＢパッケージを採用して１素子当たりの密度を高めるので、小型化、軽量化、及び器具受圧面積（当該照明器具の風圧を受ける面積であり、光の出射口を構成する前面開口１０Ａの面積に相当）の低減ができる。
【００４７】  発明者等は、このスポーツ照明器具１により、ＨＩＤ（Ｈｉｇｈ  Ｉｎｔｅｎｓｉｔｙ  Ｄｉｓｃｈａｒｇｅ  ｌａｍｐ）２ｋＷ相当の高出力投光器を実現した。この場合のスポーツ照明器具１の寸法等は以下の通りである。  スポーツ照明器具１の幅（図１に符号ＬＡで示す）は５５７ｍｍ、奥行き（図２に符号ＬＢで示す）は４６０ｍｍ、高さ（図２に符号ＬＣで示す）は５５７ｍｍ、前面カバー１４の直径（図２に符号ＬＤで示す）は４６１ｍｍである。スポーツ照明器具１の消費電力は１２４０Ｗ、器具光束は１３５０００ｌｍ、前面開口１０Ａの面積である受圧面積は、０．１７ｍ２である。ＣＯＢ型ＬＥＤ５１の出力は、受圧面積に対して０．７２９Ｗ／ｃｍ２（＝１２４０Ｗ／０．１７ｍ２）となった。発明者等が検討したところ、ＣＯＢ型ＬＥＤ５１の出力を、受圧面積に対して０．７〜１．０Ｗ／ｃｍ２にすることが、小型化、軽量化、及び受圧面積の低減の観点から好ましかった。
【００４８】  これに加え、ＣＯＢ型ＬＥＤ５１のそれぞれの光は、フレネルレンズ６１との間の距離にかかわらず、反射鏡４０により、当該ＣＯＢ型ＬＥＤ５１と対を成すフレネルレンズ６１に反射されることから、他のフレネルレンズ６１へ入射する光が抑えられる。これにより、スポーツ照明器具１の配光特性は、フレネルレンズ６１の光学設計に基づく所望の特性に維持される。  また、フレネルレンズ６１をＣＯＢ型ＬＥＤ５１から離して配置できるため、フレネルレンズ６１がＣＯＢ型ＬＥＤ５１の発熱の影響を受け難くできる。
【００４９】  また本実施形態によれば、反射鏡４０の光軸Ｌ上に、ＣＯＢ型ＬＥＤ５１の平面視円形の発光面５１の中心と、フレネルレンズ６１の中心とが配置され、なおかつ、ＣＯＢ型ＬＥＤ５１の発光面５１では、光軸Ｌに対応する位置に発光素子が配置されている。  これにより、光源が面状光源であっても、反射鏡４０，及びフレネルレンズ６１の光学設計においては、ＣＯＢ型ＬＥＤ５１の発光面５１の中心を発光点として見做して設計することができ、所望の配光特性の光学設計が容易となる。  また発光面５１にあっては、光軸Ｌの周りにも発光素子が存在することから、照射野にボケを生じさせる作用が得られ、照射野におけるグレアや色むらの低減が図られる。
【００５０】  また本実施形態では、フレネルレンズ６１と反射鏡４０の間に隙間ＳＡを設けたため、この隙間ＳＡから直接光Ｌ３が、当該反射鏡４０に隣接するフレネルレンズ６１に漏れて入射する。そして、この直接光Ｌ３がフレネルレンズ６１によって屈折され、出射光の光軸Ｌに対して角度を持って出射される。このため、出射光の主光束の周辺に拡がりを持つ光を照射できる。
【００５１】  また本実施形態では、ＣＯＢ型ＬＥＤ５１に対応するフレネルレンズ６１と隣接したフレネルレンズ６１の中心部（屈折部６１Ｋ）に当該ＣＯＢ型ＬＥＤ５１の直射光が入射しない程度の長さに前記反射鏡４０の長さを抑えて前記隙間ＳＡを設けたため、漏れた直接光Ｌ３がフレネルレンズ６１の中心部を外れた箇所（反射部６１Ｈ）に入射し、出射光の主光束に対して拡がりを持つ光成分が効率的に高められる。また、反射鏡４０の長さを抑えて隙間ＳＡを設けるため、スポーツ照明器具１を小型化し易くなる。
【００５２】  しかも本実施形態では、ＣＯＢ型ＬＥＤ５１のそれぞれを、対応するフレネルレンズ６１の焦点Ｆ’から光軸Ｌ方向にずれた位置に配置しているため、個々のフレネルレンズ６１の出射光の光束断面のエッジがぼけ、ＣＯＢ型ＬＥＤ５１がイエローリング等の色むらを有する場合に、これを効果的に抑えることができる。
【００５３】  また本実施形態では、光源モジュール１２毎のフレネルレンズ６１Ａ、６１Ｂ、６１Ｃ、６１Ｄ、６１Ｅ及び６１Ｆを１枚のレンズ板に形成しているので、コンパクト化し易くなり、且つ、着脱作業が容易である。また、これらフレネルレンズ６１Ａ、６１Ｂ、６１Ｃ、６１Ｄ、６１Ｅ及び６１Ｆは一体成形されている。  また、フレネルレンズ６１Ａ、６１Ｂ、６１Ｃ、６１Ｄ、６１Ｅ及び６１Ｆを別々に成形し、互いに接合して１枚のレンズ板に形成しても良い。但し、一体成形する方が別々に成形する場合と比べて、接合作業を省略できるとともに、各フレネルレンズ６１Ａ、６１Ｂ、６１Ｃ、６１Ｄ、６１Ｅ及び６１Ｆの位置のばらつきを抑えやすくなる。
【００５４】  また本実施形態では、背面ガード部材４の上側の開口面積を他の部分よりも広く確保しているので、熱の上昇気流により光源モジュール１２の放熱部５５の熱が集中する器具上部から効率良く排熱でき、効率的な熱の対流を実現できる。これにより、スポーツ照明器具１の小型化・軽量化に有利となり、また、放熱効率が向上することで、低ワット化が可能になり、省エネルギー化に有利となる。
【００５５】  また、このスポーツ照明器具１は、放熱性向上の観点から以下の構成を具備している。  図９は背面ガード部材４を示す図であり、図９（Ａ）は上方から見た図、図９（Ｂ）は下方から見た図である。また、図１０は各光源モジュール１２の排熱部５５を周辺構成と共に背面側から見た図である。  図３及び図９（Ａ）に示すように、背面ガード部材４は、最上パネル部４Ｂを含む上側のパネル部４Ｃの全て（左右のパネル部４Ｄは除く）に、最上パネル部４Ｂと同様に、相対的に開口面積の大きい貫通孔（図９（Ａ）中、符号７Ａで示す）がほぼ全面に渡って多数形成されている。  一方、図３、及び図９（Ｂ）に示すように、背面ガード部材４は、左右のパネル部４Ｄ、及び下側のパネル部４Ｅの全てに、相対的に開口面積の小さい貫通孔（図９（Ｂ）中、符号７Ｂで示す）がほぼ全面に渡って多数形成されている。
【００５６】  これにより、背面ガード部材４の周囲全体の通気性が確保されるとともに、上側のパネル部４Ｂ、４Ｃの単位面積当たりの開口率が、側方及び下側のパネル部４Ｄ、４Ｅと比べて大きく形成される。従って、背面ガード部材４は上側の開口面積が、側方及び下側の開口面積よりも広く確保される。この構成によれば、図１０に示すように、背面ガード部材４周囲の外気を、側方及び下側のパネル部４Ｄ、４Ｅを通過させて放熱部５５と熱交換させ、熱上昇により上側のパネル部４Ｂ、４Ｃから排気させる、という上昇気流を妨げず、効率良く排熱させる流れ（図１０中、矢印で示す）を生じさせることができる。
【００５７】  また、上記貫通穴７Ａ、７Ｂは、各パネル部４Ａ〜４Ｅの幅（背面ガード部材４の周方向に沿う長さ）に渡って延びる細長形状に形成され、それぞれの短辺方向の長さは、図１０に矢印で示す流れを効率良く生じさせる長さに形成される。本実施形態では、貫通穴７Ａ、７Ｂのそれぞれの短辺の長さを、貫通孔７Ａが１０ｍｍ、貫通孔７Ｂが６ｍｍにすることで、上記流れを効率良く生じさせることができた。なお、上記値に限らず、細長形状の短辺方向の長さを、貫通孔７Ａが貫通孔７Ｂに対して１．５倍を基準とした前後範囲内にすれば良い。  また、上昇気流を妨げない上記気流の流れを形成するには、少なくとも、背面ガード部材４を、上側の開口面積を下側の開口面積よりも広く確保すれば良い。従って、側方のパネル部４Ｄについては、相対的に開口面積の小さい貫通孔７Ｂに限定されず、設置状況に応じて貫通孔の大きさを変更しても良い。
【００５８】  また、図１０に示すように、各光源モジュール１２の排熱部５５が有する放熱フィン５６は、上下方向に延びる縦フィンに形成されている。これにより、放熱フィン５６が、放熱部５５周辺に生じる上昇気流の流れを妨げず、且つ、効率良く外気と熱交換が可能である。  さらに、同図１０に示すように、筐体１０の中心の周りに配置される複数の放熱部５５は、等角度間隔に配置されるとともに、上下方向に揃わずに横方向に互いにずれて配置される。これにより、下方の放熱部５５で暖められ上昇した熱気（図１０中、矢印で示す）が、上方に位置する他の放熱部５５で遮られにくい。これによっても、上昇気流を妨げず、効率良く排熱させることが可能である。
【００５９】  なお、上述した実施形態は、あくまでも本発明の一態様を例示するものであって、本発明の趣旨を逸脱しない範囲で任意に変形、及び応用が可能である。
【００６０】  例えば、上述した実施形態では、フレネルレンズ６１の凹凸面６１ＸをＣＯＢ型ＬＥＤ５１側に向け、且つ、ＣＯＢ型ＬＥＤ５１を焦点Ｆ’から光軸Ｌ方向にずれた位置に配置する場合を説明したが、これに限らない。例えば、フレネルレンズ６１の平面６１Ｙ側に存在する焦点Ｆまでの焦点距離ＬＦ（図８（Ａ））が比較的短い場合には、図８（Ｂ）と同様の配置、つまり、フレネルレンズ６１の平面６１ＹをＣＯＢ型ＬＥＤ５１側に向け、且つ、ＣＯＢ型ＬＥＤ５１を焦点Ｆから光軸Ｌ方向にずれた位置に配置するようにしても良い。  この場合の具体例を図１１に示す。なお、図１１において、上記と略同様の部分は同一の符号を付して説明を省略する。
【００６１】  図１１に示すように、フレネルレンズ６１の凹凸面６１ＸをＣＯＢ型ＬＥＤ５１と反対側に向けた配置においても、上記実施形態と同様に、以下の効果を備える。  すなわち、それぞれのＣＯＢ型ＬＥＤ５１ごとに、ＣＯＢ型ＬＥＤ５１の光をフレネルレンズ６１に入射する反射鏡４０を備えるため、配光特性の劣化を抑えることができる。また、フレネルレンズ６１と反射鏡４０との間の隙間ＳＡにより、隣接するフレネルレンズ６１に漏れる直接光Ｌ３が入射し、この直接光Ｌ３がフレネルレンズ６１によって屈折され、出射光の光軸Ｌに対して角度を持って出射される。おのため、出射光の主光束の周辺に拡がりを持つ光を照射でき、いわゆる面光源として利用できる。また、漏れた直接光Ｌ３がフレネルレンズ６１の中心部（屈折部６１Ｋ）を外れた箇所（反射部６１Ｈ）に入射するので、出射光の主光束に対して拡がりを持つ光成分が効率的に高められる。
【００６２】  また、上述した実施形態において、ＬＥＤの一例として、ＣＯＢ型ＬＥＤ５１を例示したが、これに限らず、任意のＬＥＤを用いることができる。また、発光素子としては、ＬＥＤの他に、有機ＥＬ等の任意の発光素子を用いることができる。また、６個の光源モジュール１２を用いる場合を説明したが、これに限らず、求められる明るさに応じて光源モジュール１２の数を変更しても良い。
【００６３】  また、上述した実施形態では、中央のフレネルレンズ６１Ａを五角形に形成する場合を示したが、周囲のＣＯＢ型ＬＥＤ５１が６個の場合は六角形に形成するなど、周囲のＣＯＢ型ＬＥＤ５１の数に対応する多角形形状に形成すれば良い。換言すると、中央のフレネルレンズ６１Ａは、中央に配置したＣＯＢ型ＬＥＤ５１の周囲に等間隔で配置されるＣＯＢ型ＬＥＤ５１の数（＝ｎ個）に対応するｎ角形状に形成すれば良い。また、多角形形状に限らず、中央のフレネルレンズ６１Ａを円形状に変更しても良い。
【００６４】  また、各フレネルレンズ６１の基本サイズを五角形に形成する以外にも、前記光源モジュール１２の反射鏡４０の開口径に対応するフレネルレンズ６１の大きさ、隙間ＳＡの距離等は反射鏡４０からの光やＣＯＢ型ＬＥＤ５１の直接光の入射範囲に応じ、隣接するフレネルレンズ６１との距離などの光学的な条件を担保すれば適宜に変更可能である。例えば、正方形などを基本サイズとして、横方向に複数個並べた形状や、上下に複数列並べた光学部材２１（レンズ板）を構成しても良い。
【００６５】  図１２はフレネルレンズ６１の変形例を示した図であり、図１２（Ａ）はフレネルレンズ６１の基本サイズ、図１２（Ｂ）は図１２（Ａ）のフレネルレンズ６１を上下左右に３列並べた光学部材２１、図１２（Ｃ）は図１２（Ａ）のフレネルレンズ６１を左右に３個並べた光学部材２１を示している。  図１２（Ａ）、及び図１２（Ｂ）に示すように、フレネルレンズ６１の形状を、正方形を基本サイズとした場合、このフレネルレンズ６１を上下左右に３列並べた矩形状の光学部材２１を形成することにより、上下左右に３列設けられたＣＯＢ型ＬＥＤ５１に対応する光学部材２１を得ることができる。なお、各フレネルレンズ６１の内側には、ＣＯＢ型ＬＥＤ５１からの光をフレネルレンズ６１に入射する反射鏡４０がそれぞれ配置される。図１２（Ｂ）には角部（紙面左上部の角部）に位置するフレネルレンズ６１に対応するＣＯＢ型ＬＥＤ５１、及び反射鏡４０の位置を破線で示しており、この位置関係は他のフレネルレンズ６１でも同じである。
【００６６】  また、図１２（Ｃ）に示すように、正方形のフレネルレンズ６１を左右に３個並べた矩形状の光学部材２１を形成することにより、左右に３個設けられたＣＯＢ型ＬＥＤ５１に対応する矩形状の光学部材２１を得ることができる。図１２（Ｃ）には角部（紙面左端の角部）に位置するフレネルレンズ６１に対応するＣＯＢ型ＬＥＤ５１、及び反射鏡４０の位置を破線で示しており、この位置関係は他のフレネルレンズ６１でも同じである。
【００６７】  また、上述した実施形態において、スポーツ照明器具１を屋外に設置して使用する場合を例示したが、これに限らない。すなわち、スポーツ照明器具１の器具本体２を体育館や天井面から直下を照射するように固定して使用しても良い。  また本発明は、スポーツ用の照明器具に限らず、他の屋外、又は屋内の各種の照明に用いられる照明器具に適用できることは勿論である。特に、工場の天井面や壁面に据え付け設置され、作業車の衝突から照明器具を保護する必要がある照明器具にも好適に用いることができる。
【符号の説明】
【００６８】  １  スポーツ照明器具（照明器具）  ２  器具本体  ４  背面ガード部材  １０  筐体  １０Ａ  前面開口（光の出射口）  １２  光源モジュール  １４  前面カバー  ２１  光学部材（レンズ板）  ４０、４０Ａ〜４０Ｆ  反射鏡  ４１  反射面  ５１  ＣＯＢ型ＬＥＤ（面状光源）  ５５  放熱部  ６１、６１Ａ〜６１Ｆ  フレネルレンズ  ６１Ｋ  屈折部  ６１Ｈ  反射部  Ｆ、Ｆ’  焦点  Ｌ  光軸  Ｌ３  直接光
【図１】
0006539665.tif 000002
【図２】
0006539665.tif 000003
【図３】
0006539665.tif 000004
【図４】
0006539665.tif 000005
【図５】
0006539665.tif 000006
【図６】
0006539665.tif 000007
【図７】
0006539665.tif 000008
【図８】
0006539665.tif 000009
【図９】
0006539665.tif 000010
【図１０】
0006539665.tif 000011
【図１１】
0006539665.tif 000012
【図１２】
0006539665.tif 000013